(57)【要約】【課題】冷却風の流路の形状に起因して冷却風の風向が発光管からそれる風向となることを抑制することができ、冷却風の流路を構成するダクトの設計自由度の向上を図ることができる投写型映像表示装置を提供すること。【解決手段】液晶プロジェクタは、映像を表示するための光を発する発光管１１と、発光管１１を覆うリフレクタ１２と、発光管１１を冷却するための冷却風を送風する冷却ファンと、冷却風を流通させるダクトとを備え、冷却風の流路は屈曲する態様で構成されている。液晶プロジェクタは、冷却風の流路において冷却風の風向を調整する風向調整部材６０をさらに備え、風向調整部材６０は、冷却風をダクトからリフレクタ１２内に通過させる開口部６４と、ダクト内において冷却風の空気溜りを形成するための閉塞部６５とを備えている。【選択図】図９
2010061005.tif 000002
【特許請求の範囲】
【請求項１】
映像を表示するための光を発する発光管と、前記発光管を覆うリフレクタと、前記発光管を冷却するための冷却風を送風する冷却ファンと、前記冷却風を流通させるダクトとを備え、前記冷却風の流路が屈曲する態様で構成された投写型映像表示装置において、
前記冷却風の流路において前記冷却風の風向を調整する風向調整部材を備え、
前記風向調整部材は、前記冷却風を前記ダクトから前記リフレクタ内に通過させる開口部と、前記ダクト内において前記冷却風の空気溜りを形成するための閉塞部とを備える
ことを特徴とする投写型映像表示装置。
【請求項２】
請求項１に記載の投写型映像表示装置において、
前記閉塞部は、屈曲している前記冷却風の流路において外側に設けられるとともに、前記開口部は、屈曲している前記冷却風の流路において前記閉塞部よりも内側に設けられている
ことを特徴とする投写型映像表示装置。
【請求項３】
請求項１または請求項２に記載の投写型映像表示装置において、
前記開口部は、前記風向調整部材の一部に形成された複数の小孔の集まりである
ことを特徴とする投写型映像表示装置。
【請求項４】
請求項１〜３のいずれか一項に記載の投写型映像表示装置において、
前記風向調整部材は、前記開口部を通過して前記リフレクタ内に流入する前記冷却風を前記発光管に向けて案内する案内部材を備える
ことを特徴とする投写型映像表示装置。
【請求項５】
請求項４に記載の投写型映像表示装置において、
前記案内部材は、第１の風向板と第２の風向板により構成され、前記第１の風向板は、前記発光管の一方の半周側に前記冷却風を案内するとともに、前記第２の風向板は、前記発光管の他方の半周側に前記冷却風を案内する
ことを特徴とする投写型映像表示装置。
【請求項６】
請求項４または請求項５に記載の投写型映像表示装置において、
前記風向調整部材は、前記案内部材を支持する支持部材を備え、この支持部材に前記開口部と前記閉塞部が設けられている
ことを特徴とする投写型映像表示装置。
【発明の詳細な説明】
【技術分野】
【０００１】
本発明は、映像を表示するための光を発する発光管と、発光管を覆うリフレクタと、発光管を冷却するための冷却風を送風する冷却ファンと、冷却風を流通させるダクトとを備える液晶プロジェクタ等の投写型映像表示装置に関する。
【背景技術】
【０００２】
一般に、液晶プロジェクタ等の投写型映像表示装置は、映像を表示するための光を発する発光管と、発光管を覆うリフレクタとにより構成されたランプを備えており、ランプから出射された光、即ち発光管が発した光をスクリーン等の投射面に投射することにより、映像を表示する構成となっている。
【０００３】
また、ランプを構成する発光管は、その温度が所定の限界温度を超えることによって寿命が短くなってしまうため、冷却ファンにより発光管を冷却するための冷却風を送風して、ダクトにより冷却風を流通させることが知られている。また、冷却風の風向が発光管へ向かう方向となるように、冷却風を調整する冷却風調整部材を設けることが開示されている（例えば、特許文献１参照）。
【特許文献１】特開２００７−２９８８９１号公報
【発明の開示】
【発明が解決しようとする課題】
【０００４】
ところで、液晶プロジェクタの小型化の観点から冷却ファンを設ける箇所が限られることになり、その結果、ダクトにより構成される冷却風の流路が屈曲する態様となる場合がある。このような場合、リフレクタ内に流入させる冷却風に旋回成分が付与されるため、上述の冷却風調整部材を用いても、冷却風の風向が発光管からそれる風向となることを十分に抑制することはできなかった。
【０００５】
そこで、ダクトの形状を変更することにより冷却風に旋回成分が付与されないにすることが考えられるが、リフレクタ内に流入する冷却風の風向が発光管からそれる風向となることを抑制するためには、ダクトの設計が制限されるという問題があった。
【０００６】
本発明は、こうした実情に鑑みてなされたものであり、その目的は、冷却風の流路の形状に起因して冷却風の風向が発光管からそれる風向となることを抑制することができ、冷却風の流路を構成するダクトの設計自由度の向上を図ることができる投写型映像表示装置を提供することを目的とする。
【課題を解決するための手段】
【０００７】
請求項１に記載の発明は、映像を表示するための光を発する発光管と、前記発光管を覆うリフレクタと、前記発光管を冷却するための冷却風を送風する冷却ファンと、前記冷却風を流通させるダクトとを備え、前記冷却風の流路が屈曲する態様で構成された投写型映像表示装置において、前記冷却風の流路において前記冷却風の風向を調整する風向調整部材を備え、前記風向調整部材は、前記冷却風を前記ダクトから前記リフレクタ内に通過させる開口部と、前記ダクト内において前記冷却風の空気溜りを形成するための閉塞部とを備えることを要旨とする。
【０００８】
この発明によれば、風向調整部材はダクト内において冷却風の空気溜りを形成するための閉塞部を備えているため、ダクトから発光管に向けて流出させることができない冷却風をダクト内において滞留させることができる。従って、ダクト内において形成された空気溜りにより冷却風の風向が調整されるため、ダクトから開口部を通過してリフレクタ内に流入する冷却風を、発光管に向けて流入させることができる。その結果、冷却風の流路の形状に起因して冷却風の風向が発光管からそれる風向となることを抑制することができ、冷却風の流路を構成するダクトの設計自由度の向上を図ることができる。また、リフレクタ内に流入する冷却風を発光管に向けて流入させることができるため、発光管を効果的に冷却することができる。
【０００９】
請求項２に記載の発明は、請求項１に記載の投写型映像表示装置において、前記閉塞部は、屈曲している前記冷却風の流路において外側に設けられるとともに、前記開口部は、屈曲している前記冷却風の流路において前記閉塞部よりも内側に設けられていることを要旨とする。
【００１０】
この発明によれば、閉塞部は、屈曲している冷却風の流路において外側に設けられるとともに、開口部は、屈曲している冷却風の流路において閉塞部よりも内側に設けられているため、ダクトにおける冷却風の流路の外側から発光管に向けて流出させることができない冷却風をダクト内において滞留させることができる。
【００１１】
請求項３に記載の発明は、請求項１または請求項２に記載の投写型映像表示装置において、前記開口部は、前記風向調整部材の一部に形成された複数の小孔の集まりであることを要旨とする。
【００１２】
この発明によれば、風向調整部材の開口部が複数の小孔の集まりであるため、寿命により発光管が破裂した場合であっても、破裂した発光管の破片がダクト内に入ることを抑制することができる。
【００１３】
請求項４に記載の発明は、請求項１〜３のいずれか一項に記載の投写型映像表示装置において、前記風向調整部材は、前記開口部を通過して前記リフレクタ内に流入する前記冷却風を前記発光管に向けて案内する案内部材を備えることを要旨とする。
【００１４】
この発明によれば、風向調整部材は、開口部を通過してリフレクタ内に流入する冷却風を発光管に向けて案内する案内部材を備えるため、冷却風を発光管に確実に吹きつけることができる。
【００１５】
請求項５に記載の発明は、請求項４に記載の投写型映像表示装置において、前記案内部材は、第１の風向板と第２の風向板により構成され、前記第１の風向板は、前記発光管の一方の半周側に前記冷却風を案内するとともに、前記第２の風向板は、前記発光管の他方の半周側に前記冷却風を案内することを要旨とする。
【００１６】
この発明によれば、第１の風向板と第２の風向板により発光管の全周を冷却することができるため、投写型映像表示装置の設置状況によらず、発光管の上側を冷却することができる。
【００１７】
請求項６に記載の発明は、請求項４または請求項５に記載の投写型映像表示装置において、前記風向調整部材は、前記案内部材を支持する支持部材を備え、この支持部材に前記開口部と前記閉塞部が設けられていることを要旨とする。
【００１８】
この発明によれば、案内部材を支持する支持部材に開口部と閉塞部とが設けられているため、開口部と閉塞部とを設けるための別の部材を必要とすることなく、風向調整部材を形成することができる。
【発明の効果】
【００１９】
本発明によれば、冷却風の流路の形状に起因して冷却風の風向が発光管からそれる風向となることを抑制することができ、冷却風の流路を構成するダクトの設計自由度の向上を図ることができる。
【発明を実施するための最良の形態】
【００２０】
図面を参照して、本発明の投写型映像表示装置を液晶プロジェクタとして具体化した実施形態について説明する。本発明の実施形態に係る投写型映像表示装置は、同表示装置の前方に設けられるスクリーンへ光を投射することにより映像を投写して表示し、ライトバルブとして液晶を用いる液晶プロジェクタ１である。
【００２１】
図１に示す液晶プロジェクタ１は、図２に示すように、ランプ１０、インテグレータレンズ２１、偏光変換素子２２、複数枚のコンデンサレンズ２３、複数枚のミラー２４、ダイクロイックミラー２５，２６、液晶ライトバルブ２７，２８，２９、ダイクロイックプリズム３０、及び投写レンズ３１を備えている。以下、これらの光学部品を具体的に説明する。
【００２２】
光を出射するランプ１０は、石英ガラスにより形成された発光管１１内に、水銀とハロゲンガスの混合物または水銀とハロゲン化物の混合物が封入された超高圧水銀ランプである。ランプ１０から所定方向のみに光が出射されるように、発光管１１はリフレクタ１２により覆われている。
【００２３】
インテグレータレンズ２１は、耐熱性ガラスにより形成された２枚のフライアイレンズ２１ａ，２１ｂにより構成された光学部品である。ランプ１０から出射された光がインテグレータレンズ２１を透過することにより、その光の照度分布が均一化される。
【００２４】
偏光変換素子２２は、偏光分離膜と位相差板とを有し、ランプ１０から出射された光を直線偏光に変換するための光学部品である。具体的には、偏光変換素子２２は、偏光分離膜によりＰ偏光とＳ偏光とを分離するとともに、位相差板によりＰ偏光及びＳ偏光のいずれかの位相をずらすことにより、液晶ライトバルブ２７〜２９に入射する光を直線偏光とする。
【００２５】
コンデンサレンズ２３は、光が透過する光学部品の大きさに応じて、ランプ１０から出射された光を集光させるレンズである。また、ミラー２４は、ランプ１０から出射された光を反射することにより光を液晶ライトバルブ２７〜２９、ダイクロイックプリズム３０、及び投写レンズ３１へ導くための鏡である。
【００２６】
ダイクロイックミラー２５は、赤色及び緑色の光を反射する鏡であって、ダイクロイックミラー２６は、緑色の光を反射する鏡である。従って、ランプ１０から出射された白色光から、ダイクロイックミラー２５により青色の光が分離されるとともに、ダイクロイックミラー２６により赤色の光と緑色の光が分離される。
【００２７】
液晶ライトバルブ２７〜２９の各々は、透明電極により挟まれた液晶を備える液晶パネルと、液晶パネルの光の入射側及び出射側に設けられた偏光板と、液晶パネルを透過する光の複屈折を補償する光学補償板とにより構成されている。
【００２８】
このように構成された液晶ライトバルブ２７〜２９を光が透過することにより、光の三原色に対応した各色の映像が生成される。具体的には、白色光から分離された青色の光が液晶ライトバルブ２７を透過することにより、青色の映像が生成され、緑色の光が液晶ライトバルブ２８を透過することにより、緑色の映像が生成され、赤色の光が液晶ライトバルブ２９を透過することにより、赤色の映像が生成される。
【００２９】
ダイクロイックプリズム３０は、各液晶ライトバルブ２７〜２９により生成された各色の映像を合成することにより、フルカラーの映像を生成するものである。具体的には、ダイクロイックプリズム３０は、液晶ライトバルブ２７〜２９を透過した光のうち、青色の光と赤色の光を反射して液晶プロジェクタ１の前方へ出射するとともに、緑色の光を透過させて液晶プロジェクタ１の前方へ出射する。
【００３０】
投写レンズ３１は、複数枚のレンズにより構成され、ダイクロイックプリズム３０から出射された光が投写レンズ３１に入射することにより、液晶プロジェクタ１の前方に光を出射して、フルカラーの映像を投写して表示するものである。
【００３１】
以上のように構成された光学部品は、液晶プロジェクタ１内に設けられた支持部材に取り付けられて支持されている。具体的には、図３に示すように、インテグレータレンズ２１、偏光変換素子２２、コンデンサレンズ２３、ミラー２４、ダイクロイックミラー２５，２６等は、樹脂製の支持部材４１に取り付けられている。
【００３２】
また、液晶プロジェクタ１は、発光管を冷却するための冷却風を送風する冷却ファン（不図示）と、冷却風を流通させるダクト４０とを備えている。本実施形態においては、図４に示すように、冷却ファンに接続されたダクト４２と、ダクト４２内の空間と連通している空間を有する支持部材４１の一部により、冷却風を流通させるダクト４０が構成されている。
【００３３】
また、ランプ１０は、図５に示すランプホルダ５１に収納される構成となっている。そして、ランプ１０が収納されたランプホルダ５１にランプカバー５２を取り付けることにより、リフレクタ１２の開口縁部１２ａがランプホルダ５１とランプカバー５２とにより挟持されてランプ１０が保持される構成となっている。ランプホルダ５１は、ランプ１０を収納可能とするための開口が設けられた容器であって、ランプカバー５２は、ランプホルダ５１の開口先端に形成された４つの爪５１ａをランプカバー５２に係合させることによりランプホルダ５１に対して固定することが可能な四角枠形状の枠部材である。
【００３４】
ランプカバー５２には、冷却ファンからリフレクタ１２内に流入する気体（即ち、冷却風）が通る通気口５２ａと、リフレクタ１２内の気体を排熱ファン（不図示）へ送風される気体が通る通気口５２ｂとが設けられている。そして、通気口５２ａには、リフレクタ１２内に流入する冷却風の風向を調整する風向調整部材６０が取り付けられ、通気口５２ｂには、リフレクタ１２内から流出させる気体の風向を調整する風向調整部材７０が取り付けられる構成となっている。
【００３５】
風向調整部材６０は、図６〜図８に示すように、風向板６１と、風向板６２と、風向板６１，６２が取り付けられる支持部材６３とにより構成されており、風向板６１，６２及び支持部材６３は、金属板をプレスすることにより形成されたものである。
【００３６】
なお、風向調整部材６０は、図９に示すように、発光管１１の斜め前方に設けられる構成となっており、ランプ１０の前方を覆うカバーガラス（不図示）とリフレクタ１２の隙間から発光管１１に向けて流出する冷却風の風向を調整する構成となっている。ここでいう前方とは、ランプ１０が光を出射する方向Ｚであって、支持部材６３の長手方向Ｈは前方Ｚに直交する方向である。
【００３７】
風向板６１は、支持部材６３の長手方向Ｈに平行な面を有するように支持部材６３の裏側６３Ｂから後方Ｙ（前方Ｚの逆方向）に向けて延設される延設板部６１ａと、支持部材６３の長手方向Ｈに略垂直な面を有する側壁部６１ｂ，６１ｃとを備え、側壁部６１ｂ，６１ｃは支持部材６３の長手方向Ｈにおいて延設板部６１ａの両端に設けられている。このように構成された風向板６１はスポット溶接により風向板６２に固定されている。
【００３８】
風向板６２は、支持部材６３の長手方向Ｈに平行な面を有するように支持部材６３の裏側６３Ｂから後方Ｙに向けて延設される延設板部６２ａと、支持部材６３の長手方向Ｈに略垂直な面を有する側壁部６２ｂとを備え、側壁部６２ｂは、支持部材６３の長手方向Ｈにおいて延設板部６１ａに近設しない延設板部６２ａの端部に設けられている。このように構成された風向板６２はスポット溶接により支持部材６３に固定されている。
【００３９】
また、図６及び図７に示すように、風向板６１の延設板部６１ａと風向板６２の延設板部６２ａは隣接して設けられており、風向板６１が備える側壁部６１ｃにより、風向板６１に案内される冷却風の流路と風向板６２に案内される冷却風の流路が区切られている。
【００４０】
支持部材６３は、通気口５２ａを覆うような平板部６３ａを有しており、平板部６３ａの一部には小孔６３ｂが形成されている。そして、スポット溶接により、支持部材６３に風向板６１，６２が固定される構成となっている。
【００４１】
ここで本実施形態においては、冷却風の流路において冷却風の風向を調整する風向調整部材６０が、冷却風をダクト４０からリフレクタ１２内に通過させる開口部６４と、ダクト４０内において冷却風の空気溜りを形成するための閉塞部６５とを備えることに特徴がある。
【００４２】
具体的には、支持部材６３の平板部６３ａには、冷却風が通過するための複数の小孔６３ｂの集まりである開口部６４と、冷却風が通過しない閉塞部６５とが設けられている。このため、図９に示すように、開口部６４を通過した冷却風Ｆ１，Ｆ２がリフレクタ１２内（即ち、リフレクタ１２が有する放物面状の光の反射面１２ｂにより形成される空間）に流入する構成となっている。
【００４３】
閉塞部６５は、ダクト４０内において冷却風Ｆ（図１０及び図１１参照）を滞留させて、冷却風の空気溜りを形成するための平板部６３ａの一部である。断面斜視図である図１０、及び風向板６１，６２を不図示とした模式図である図１１に示すように、閉塞部６５は、屈曲している冷却風の流路において外側に設けられるとともに、上述の開口部６４は、屈曲している冷却風の流路において閉塞部６５よりも内側に設けられている。ここでいう「外側」とは、ランプ１０が光を出射する方向Ｚに平行な断面において、屈曲している冷却風の流路において旋回してリフレクタ１２内へ流入しようとする冷却風の旋回の中心から離れた方のことをいう。同様に「内側」とは、ランプ１０が光を出射する方向Ｚに平行な断面において、屈曲している冷却風の流路において旋回するようにリフレクタ１２内へ流入しようとする冷却風の旋回の中心に近い方のことをいう。
【００４４】
このような構成によれば、屈曲した流路の外側を流れて旋回成分が付与された冷却風、即ちダクト４０から発光管１１に向けて流出させることができない冷却風を、ダクト４０内において滞留させることができる。そして、ダクト４０内において形成された空気溜りにより、屈曲した流路の内側を流れて旋回成分が付与された冷却風の風向が調整されるため、ダクト４０から開口部６４を通過してリフレクタ１２内に流入する冷却風を、発光管１１に向けて流入させることができる。
【００４５】
また、本実施形態においては、上述のごとく、風向調整部材６０は、開口部６４を通過してリフレクタ１２内に流入する冷却風を発光管１１に向けて案内する案内部材として、風向板６１，６２を備えている。そして、図１２に示すように、風向板６１は、発光管１１の一方の半周側（図１２の符号Ａ１が示す部分）に冷却風Ｆ１を案内し、風向板６２は、発光管１１の一方の半周側（図１２の符号Ａ２が示す部分）に冷却風Ｆ２を案内するため、風向板６１と風向板６２により発光管１１の全周を冷却することができる。
【００４６】
また、本実施形態においては、図１３に示すように、風向板６１，６２は発光管１１を構成する球状部１１ａに冷却風Ｆ１，Ｆ２を直線的に案内して、冷却風Ｆ１，Ｆ２を発光管１１の球状部１１ａに直接吹きつける構成としている。発光管１１の球状部１１ａは、上述の発光体が封入されている発光部であるため、風向板６１，６２によって球状部１１ａに冷却風が直接吹きつけられることにより、リフレクタ１２が有する放物面状の光の反射面１２ｂに沿って球状部１１ａに冷却風が吹きつけられる場合に比し、発光管１１をより効果的に冷却することができる。
【００４７】
上記実施形態の液晶プロジェクタ１によれば、以下のような効果を得ることができる。
（１）冷却風の流路において冷却風の風向を調整する風向調整部材６０を備え、風向調整部材６０は、冷却風をダクト４０からリフレクタ１２内に通過させる開口部６４と、ダクト４０内において冷却風の空気溜りを形成するための閉塞部６５とを備えている。このため、ダクト４０から発光管１１に向けて流出させることができない冷却風Ｆをダクト４０内において滞留させることができる。従って、ダクト４０内において形成された空気溜りにより冷却風の風向が調整されるため、ダクト４０から開口部６４を通過してリフレクタ１２内に流入する冷却風を、発光管１１に向けて流入させることができる。その結果、冷却風の流路の形状に起因して冷却風の風向が発光管１１からそれる風向となることを抑制することができ、冷却風の流路を構成するダクト４０の設計自由度の向上を図ることができる。また、リフレクタ１２内に流入する冷却風を発光管１１に向けて流入させることができるため、発光管１１を効果的に冷却することができる。
【００４８】
（２）閉塞部６５は、屈曲している冷却風の流路において外側に設けられるとともに、開口部６４は、屈曲している冷却風の流路において閉塞部６５よりも内側に設けられているため、ダクト４０における冷却風の流路の外側から発光管１１に向けて流出させることができない冷却風Ｆをダクト４０内において滞留させることができる。
【００４９】
（３）開口部６４は、風向調整部材６０の一部に形成された複数の小孔６３ｂの集まりであるため、寿命により発光管１１が破裂した場合であっても、破裂した発光管１１の破片がダクト４０内に入ることを抑制することができる。
【００５０】
（４）風向調整部材６０は、開口部６４を通過してリフレクタ１２内に流入する冷却風を発光管１１に向けて案内する風向板６１，６２を備えるため、冷却風Ｆ１，Ｆ２を発光管１１に確実に吹きつけることができる。
【００５１】
（５）冷却風を発光管１１に向けて案内する案内部材は、風向板６１と風向板６２により構成され、風向板６１は、発光管１１の一方の半周側に冷却風Ｆ１を案内するとともに、風向板６２は、発光管１１の他方の半周側に冷却風Ｆ２を案内する。従って、風向板６１と風向板６２により発光管１１の全周を冷却することができるため、液晶プロジェクタ１の設置状況によらず、発光管１１の上側を冷却することができる。
【００５２】
（６）風向調整部材６０は、風向板６１，６２を支持する支持部材６３を備え、支持部材６３に開口部６４と閉塞部６５が設けられているため、開口部６４と閉塞部６５とを設けるための別の部材を必要とすることなく、風向調整部材６０を形成することができる。
【００５３】
（その他の実施形態）
本発明は、上記実施形態に限定されるものではなく、本発明の趣旨に基づいて種々の設計変更をすることが可能であり、それらを本発明の範囲から除外するものではない。例えば、以下に示すように変更して実施することもできる。
【００５４】
・上記実施形態においては、支持部材６３に開口部６４と閉塞部６５が設けられていたが、例えば、支持部材６３に開口部６４のみを設け、開口部６４の一部を他の部材で覆うことにより風向調整部材６０が閉塞部６５を備える構成としてもよく、開口部６４と閉塞部６５を支持部材６３以外の他の部材に設けてもよい。
【００５５】
・上記各実施形態においては、開口部６４を通過してリフレクタ１２内に流入する冷却風を発光管１１に向けて案内する案内部材は、風向板６１，６２により構成されていたが、風向板６１，６２の形状は適宜変更してもよい。また、風向板６１，６２以外の案内部材を設けてもよい。
【００５６】
・上記各実施形態においては、開口部６４は、風向調整部材６０の一部に形成された複数の小孔６３ｂの集まりであったが、このような小孔６３ｂにより開口部６４が形成されていなくてもよく、例えば、開口部６４が大きな矩形状の開口であってもよい。
【００５７】
・上記各実施形態においては、閉塞部６５は、冷却風の流路において外側に設けられ、開口部６４は、冷却風の流路において閉塞部６５よりも内側に設けられていたが、ダクト４０から発光管１１に向けて流出させることができない冷却風を滞留させることができれば、開口部６４及び閉塞部６５が設けられる位置を適宜変更してもよい。
【００５８】
・上記各実施形態においては、本発明を液晶プロジェクタ１に適用した場合について説明したが、その他の投写型映像表示装置についても上記各実施形態に準じた態様をもって本発明を適用することはできる。要するに、映像を表示するための光を発する発光管と、発光管を覆うリフレクタと、発光管を冷却するための冷却風を送風する冷却ファンと、冷却風を流通させるダクトとを備え、冷却風の流路が屈曲する態様で構成された投写型映像表示装置であればいずれについても本発明を適用することは可能である。その場合にも上記実施形態に準じた作用効果を奏することができる。
【図面の簡単な説明】
【００５９】
【図１】本発明の投写型映像表示装置を具体化した実施形態について、同映像表示装置としての液晶プロジェクタの外観を示す斜視図。
【図２】同実施形態に係る液晶プロジェクタの光学部品の構成を示す模式図。
【図３】同実施形態に係る液晶プロジェクタの内部構造を示す斜視図。
【図４】図３のＡ−Ａ部分の断面斜視図。
【図５】同実施形態に係る液晶プロジェクタのランプと、ランプを保持する部材と、ランプを保持する部材に取り付けられる風向調整部材を示す斜視図。
【図６】（ａ）（ｂ）同実施形態に係る風向調整部材の外観を示す斜視図。
【図７】（ａ）（ｂ）同実施形態に係る風向調整部材の分解斜視図。
【図８】（ａ）（ｂ）同実施形態に係る風向調整部材の分解斜視図。
【図９】同実施形態に係る液晶プロジェクタのランプと、発光管の斜め前方に設けられた風向調整部材を示す斜視図。
【図１０】同実施形態に係るランプの斜め前方に風向調整部材が設けられた状態の断面斜視図。
【図１１】同実施形態に係る風向調整部材により形成される空気溜りを示す模式図。
【図１２】同実施形態に係るランプと風向調整部材の正面図。
【図１３】（ａ）図１２のＢ−Ｂ部分の断面図、（ｂ）図１２のＣ−Ｃ部分の断面図。
【符号の説明】
【００６０】
Ｆ，Ｆ１，Ｆ２…冷却風、Ｈ…長手方向、Ｙ…後方、Ｚ…前方、１…液晶プロジェクタ、１０…ランプ、１１…発光管、１１ａ…球状部、１２…リフレクタ、１２ａ…開口縁部、１２ｂ…反射面、２１…インテグレータレンズ、２１ａ，２１ｂ…フライアイレンズ、２２…偏光変換素子、２３…コンデンサレンズ、２４…ミラー、２５，２６…ダイクロイックミラー、２７，２８，２９…液晶ライトバルブ、３０…ダイクロイックプリズム、３１…投写レンズ、４０…ダクト、４１…支持部材、４２…ダクト、５１…ランプホルダ、５１ａ…爪、５２…ランプカバー、５２ａ，５２ｂ…通気口、６０，７０…風向調整部材、６１，６２…風向板、６１ａ，６２ａ…延設板部、６１ｂ，６１ｃ，６２ｂ…側壁部、６３…支持部材、６３Ｂ…裏側、６３ａ…平板部、６３ｂ…小孔、６４…開口部、６５…閉塞部。
【図１】
2010061005.tif 000003
【図２】
2010061005.tif 000004
【図３】
2010061005.tif 000005
【図４】
2010061005.tif 000006
【図５】
2010061005.tif 000007
【図６】
2010061005.tif 000008
【図７】
2010061005.tif 000009
【図８】
2010061005.tif 000010
【図９】
2010061005.tif 000011
【図１０】
2010061005.tif 000012
【図１１】
2010061005.tif 000013
【図１２】
2010061005.tif 000014
【図１３】
2010061005.tif 000015